(57)【要約】【課題】弁開度指示装置から弁開度を読み取り、この弁開度と仕様書などの流量特性曲線から概算で流量を求めているため、流量の確認作業が煩雑となるのみならず、正確な流量を把握できないという課題があった。【解決手段】流路２０内の流体の流量を調節する流量調節弁１において、前記流量調節弁１の弁開度を検出して弁開度信号を出力する弁開度検出手段３と、前記流量調節弁１の流量特性を記憶する記憶手段１２と、前記弁開度信号と流量特性から前記流路２０内の流体の流量を算出する流量算出手段１３とからなる流量調節弁の流量検出システム。【選択図】図１
2008169904.tif 000002
【特許請求の範囲】
【請求項１】
流路内の流体の流量を調節する流量調節弁において、前記流量調節弁の弁開度を検出して弁開度信号を出力する弁開度検出手段と、前記流量調節弁の流量特性を記憶する記憶手段と、前記弁開度信号と流量特性から前記流路内の流体の流量を算出する流量算出手段とからなる流量調節弁の流量検出システム。
【請求項２】
前記流量調節弁の上流側流路及び下流側流路に圧力計を設けてあり、前記圧力計で複数の弁開度における差圧を測定して前記流量調節弁の流量特性を求める流量特性作成手段を備えた請求項１に記載の流量調節弁の流量検出システム。
【請求項３】
前記流量特性作成手段が複数の流量調節弁の流量特性を求めるようにした請求項２に記載の流量調節弁の流量検出システム。
【請求項４】
前記流路内の流体の流量又は前記流量調節弁の流量特性を表示する表示手段を備えた請求項１乃至３の何れかに記載の流量調節弁の流量検出システム。
【請求項５】
前記弁開度信号に基づいて前記流量調節弁の弁開度を制御する制御手段を備えた請求項１乃至４の何れかに記載の流量調節弁の流量検出システム。
【発明の詳細な説明】
【技術分野】
【０００１】
本発明は、流量調節弁で調節する流路内の流体の流量を検出する流量調節弁の流量検出システムに関する。
【背景技術】
【０００２】
従来、流路に設置される流量調節弁の弁開度の確認は、弁棒の位置又は開度指示装置によって行っている。一方、流体の流量は、流路に流量調節弁とは別に設置している流量発信器の指示で確認している。開度指示装置は、弁棒と共に移動する移動部材と、この移動部材の移動に伴って支点ピンを回動中心として回動し、弁棒の移動量を拡大して指示する指針と、この指針の回動量を弁体の開度に変換して読み取らせる開度指示目盛を設けたものが知られている（例えば、特許文献１参照）。
【０００３】
【特許文献１】実開平５−４７６６１号公報
【発明の開示】
【発明が解決しようとする課題】
【０００４】
しかし、流量発信器の設置していない場所での流量確認は、開度指示装置で弁開度を読み取り、読み取った弁開度と該当する弁の仕様書等に記載されている流量特性曲線から概算で流量を求める必要があった。このため、流量の確認作業が煩雑となるのみならず、流量などの使用状態によっては実際の流量特性が弁の仕様書等に記載されている流量特性曲線と相違する場合があり、正確な流量を把握できないという課題があった。
【課題を解決するための手段】
【０００５】
そこで、本発明は、上記課題を解決するために、流路内の流体の流量を調節する流量調節弁において、前記流量調節弁の弁開度を検出して弁開度信号を出力する弁開度検出手段と、前記流量調節弁の流量特性を記憶する記憶手段と、前記弁開度信号と流量特性から前記流路内の流体の流量を算出する流量算出手段とからなる流量調節弁の流量検出システムを提供するものである。
【０００６】
また、本発明は、前記流量調節弁の上流側流路及び下流側流路に圧力計を設けてあり、前記圧力計で複数の弁開度における差圧を測定して前記流量調節弁の流量特性を求める流量特性作成手段を備えた請求項１に記載の流量調節弁の流量検出システムを提供するものである。
【０００７】
また、本発明は、前記流量特性作成手段が複数の流量調節弁の流量特性を求めるようにした請求項２に記載の流量調節弁の流量検出システムを提供するものである。
【０００８】
また、本発明は、前記流路内の流体の流量又は前記流量調節弁の流量特性を表示する表示手段を備えた請求項１乃至３の何れかに記載の流量調節弁の流量検出システムを提供するものである。
【０００９】
また、本発明は、前記弁開度信号に基づいて前記流量調節弁の弁開度を制御する制御手段を備えた請求項１乃至４の何れかに記載の流量調節弁の流量検出システムを提供するものである。
【発明の効果】
【００１０】
本発明に係る流量調節弁の流量検出システムによれば、流路内の流体の流量を調節する流量調節弁において、前記流量調節弁の弁開度を検出して弁開度信号を出力する弁開度検出手段と、前記流量調節弁の流量特性を記憶する記憶手段と、前記弁開度信号と流量特性から前記流路内の流体の流量を算出する流量算出手段とからなる構成を有することにより、流路に流量発信器を設置していない場所においても、弁開度検出手段で検出した弁開度と流量特性曲線を対比することなく、弁開度信号から直ちに流路内の流体の流量を把握することができる。従って、流量を把握するために流路に流量発信器を設置する必要がなく、コストを低減することができる効果がある。
【００１１】
また、本発明は、前記流量調節弁の上流側流路及び下流側流路に圧力計を設けてあり、前記圧力計で複数の弁開度における差圧を測定して前記流量調節弁の流量特性を求める流量特性作成手段を備えた請求項１に記載の構成を有することにより、流量計を備えていない流路でも流量調節弁の前後の差圧から流量特性を求めることができる。また、実際の使用状態に合った流量調節弁の流量特性を求めることができ、この流量特性と弁開度信号から正確な流量を把握することができる効果がある。
【００１２】
また、本発明は、前記流量特性作成手段が複数の流量調節弁の流量特性を求めるようにした請求項２に記載の構成を有することにより、流量特性作成手段を複数の流量調節弁で共有することができ、構成を簡素化してコストを低減することができる効果がある。
【００１３】
また、本発明は、前記流路内の流体の流量又は前記流量調節弁の流量特性を表示する表示手段を備えた請求項１乃至３の何れかに記載の構成を有することにより、流路内の流体の流量又は流量調節弁の流量特性を視認することができ、流量特性から流量調節弁の形状等も把握することができる効果がある。
【００１４】
また、本発明は、前記弁開度信号に基づいて前記流量調節弁の弁開度を制御する制御手段を備えた請求項１乃至４の何れかに記載の構成を有することにより、流路に流量発信器を設置しなくても、弁開度信号のみに基づいて弁開度に対応する流体の流量を制御することができる効果がある。
【発明を実施するための最良の形態】
【００１５】
本発明の実施の形態を図示する実施例に基づいて説明する。
本発明に係る流量調節弁の流量検出システムは、流路２０内の流体の流量を調節する流量調節弁１において、前記流量調節弁１の弁開度を検出して弁開度信号を出力する弁開度検出手段３と、前記流量調節弁１の流量特性を記憶する記憶手段１２と、前記弁開度信号と流量特性から前記流路２０内の流体の流量を算出する流量算出手段１３とから構成してある。
【実施例１】
【００１６】
図１に示す実施例において、流量調節弁１はグローブ弁、ダイヤフラム弁等の調節弁であり、駆動部２で弁開度を調節して流路２０内の流体の流量を調節することができるように構成してある。また、流量調節弁１には、制御弁の駆動量から弁開度を検出し、弁開度信号を出力する弁開度検出手段３を設けてある。
【００１７】
図１に示すように、流量調節弁１の上流側及び下流側の流路２０には圧力計４，４を設けてある。流量特性作成手段１１は、圧力計４，４で複数の弁開度における差圧を測定して流量調節弁１の流量特性を求めることができるように構成してある。流量特性作成手段１１は、流量調節弁１の弁容量係数（Ｃｖ値）と、流体の比重・温度と、流量調節弁１の前後の差圧から流体の流量を算出し、弁開度と流量の関係から流量調節弁１の流量特性を求めるようにしてある。流量特性作成手段１１は、流体が液体である場合には、数１式から液体の流量を算出することができる。
【００１８】
【数１】
2008169904.tif 000003
【００１９】
図１に示す実施例において、流量特性作成手段１１は、中央制御装置１０に設けてあり、流路内に設置した複数の流量調節弁１の流量特性を求めることができるように構成してある。また、中央制御装置１０には、記憶手段１２を設けてあり、流量特性作成手段１１で求めた流量調節弁１の流量特性を記憶することができるようにしてある。
なお、記憶手段１２は、予め測定されて弁の仕様書等に記載された流量調節弁１の流量特性を記憶しておくことも勿論可能である。
【００２０】
また、中央制御装置１０には、流量算出手段１３を設けてある。流量算出手段１３は、弁開度検出手段３から出力された弁開度信号と、記憶手段１２に記憶された流量特性から流路２０内の流体の流量を算出することができるように構成してある。流量特性は、流量調節弁１の弁体の形状等により、図２に示すように、リニア特性（図中の直線ａ）と、イコールパーセント特性（図中の曲線ｂ）と、クイックオープン特性（図中の曲線ｃ）に分類される。一般的に、流量制御用としてはリニア特性、イコールパーセント特性、又はこの中間の特性の調節弁が用いられ、弁開度から流量を算出することができる。
【００２１】
図１に示すように、流量算出手段１３には、流路２０内の流体の流量及び流量調節弁１の流量特性を表示する表示手段としてモニタ１５を設けてある。また、流量算出手段１３には、各流量調節弁１の流量を表示する指示計１６を設けてある。指示計１６は、中央制御装置１０に設置して集中管理することができ、又、各流量調節弁１の近くに設置して現場で流量を確認しながら弁開度を調節することも可能である。
【００２２】
図１に示すように、中央制御装置１０には、弁開度検出手段３から出力される弁開度信号に基づいて流量調節弁１の弁開度を制御する制御手段１４を設けることも可能である。制御手段１４は、要求される流量に対応する弁開度と弁開度信号を比較し、一致しないときは一致するように駆動部２を駆動して弁開度を制御することができるようにしてある。
【図面の簡単な説明】
【００２３】
【図１】本発明に係る流量調節弁の流量検出システムの一実施例を示す構成図。
【図２】流量調節弁の流量特性を示す図。
【符号の説明】
【００２４】
１  流量調節弁
２  駆動部
３  弁開度検出手段
４  圧力計
１０  中央制御装置
１１  流量特性作成手段
１２  記憶手段
１３  流量算出手段
１４  制御手段
１５  モニタ
１６  指示計
２０  流路
【図１】
2008169904.tif 000004
【図２】
2008169904.tif 000005